(57)【特許請求の範囲】
【請求項１】
溶接シーム（７）によって相互に結合された上下のシェル半部（５，６）からなる、車両空調装置の冷媒捕集装置（１）において、双方のシェル半部（５，６）が、それぞれ、本質的に半円形状の横断面を有し、
上部シェル半部（５）が、上部シェル半部（５）を貫通し且つ上部シェル半部（５）外にあるパイプ接続部（２ａ）を入口側（８ａ）に備えた分離パイプ（３）を有し、
分離パイプ（３）の端部が、分離パイプ（３）より流入する冷媒が冷媒捕集装置（１）の内壁に沿って導かれるように、冷媒捕集装置（１）の内部で側方へ折曲げてある、
ことを特徴とする冷媒捕集装置。
【請求項２】
双方のシェル半部（５，６）が、半球形状に構成されていることを特徴とする請求項１に記載の冷媒捕集装置。
【請求項３】
シェル半部（５，６）が、合成樹脂または金属からなることを特徴とする請求項１または２に記載の冷媒捕集装置。
【請求項４】
上部シェル半部（５）が、出口側（８ｂ）に、下部シェル半部（６）の最低範囲を通り、再び上部シェル半部（５）にもどる混合パイプ（４）のためのパイプ接続部（２ｂ）を有することを特徴とする請求項１−３の１つに記載の冷媒捕集装置。
【請求項５】
混合パイプ（４）が、下部シェル半部（６）の最低範囲に、下部シェル半部（６）の壁部に向く少なくとも１つのパイプボア（管壁孔）（９）を有することを特徴とする請求項４に記載の冷媒捕集装置。
【請求項６】
混合パイプ（４）が、液溜め（１２）の最高予想液面の上方に、少なくとも１つのボア（管壁孔）（１０）を有することを特徴とする請求項４または５に記載の冷媒捕集装置。
【発明の詳細な説明】
【０００１】
【技術分野】
本発明は、車両空調装置の冷媒捕集装置に関する。更に詳細に云えば、本発明は、高い運転圧力のために、特に、冷媒としてＣＯ2を使用する車両空調装置の運転のために特別な特性を有し、車両空調装置の冷却プロセス内で液状冷媒を受容、送出するための冷媒捕集装置に関する。
【０００２】
【従来の技術】
よく知られているように、車両空調装置の動的運転において、気化器の出口側には、未気化の液状冷媒が現れることがあるが、この液状冷媒は、中間貯蔵しなければならず、コンプレッサの損傷を避けるため、後段の構成部材（例えば、中間熱交換器）へのその供給量は、少量に抑制しなければならない。対応する冷媒捕集装置は、例えば、Ｌｏｒｅｎｔｚｅｎらの１９９３年９月２１日発行の米国特許第５２４５８３６号に記載されている。
【０００３】
【発明が解決しようとする課題】
これまで知られており開示されている冷媒捕集装置は、円筒形に且つ特殊な接続底面（例えば、隆起した小槌状底面からなる接続底面）を有するよう製造されている。運転圧力が高い場合、この構造形態の結果として、質量が増大し、寸法も大きくなる。更に、接続底面の固定のため複数の溶接シームを形成しなければならず、経験的に、とりわけ多数の脆弱箇所が生ずることになる。更に、大寸法および大質量（大重量）にもとづき、上記冷媒捕集装置は、コンパクトな小型車には使用できない。
【０００４】
従って、本発明の課題は、技術的に簡単な手段によって、軽量であるとともに大きい圧縮強度を示し、更に、容易に製造できる、冒頭に述べた種類の冷媒捕集装置を提供することにある。
【０００５】
【発明による課題の解決手段】
この課題は、冒頭に述べた種類の冷媒捕集装置において、溶接シームによって相互に結合された上下のシェル半部が、それぞれ、本質的に半円形状の横断面を有し、上部シェル半部が、上部シェル半部を貫通し且つ上部シェル半部外にあるパイプ接続部を入口側に備えた分離パイプを有し、分離パイプの端部が、分離パイプより流入する冷媒が冷媒捕集装置の内壁に沿って導かれるように、冷媒捕集装置の内部で側方へ折曲げてある、ことを特徴とする冷媒捕集装置を構成することによって、解決される。
【０００６】
かくして、冷媒捕集装置の寸法および質量（重量）が減少されるのみならず、製造時間も短縮される。なぜならば、唯一つの溶接シームを形成するだけでよいからである。
【０００７】
【発明の実施の形態】
唯一つの溶接シームを形成するだけでよいので、溶接シームの脆弱箇所の危険性も減少される。なぜならば、単一の溶接シームをより簡単に且つ迅速に点検できるからである。
【０００８】
双方のシェル半部は、凹に湾曲して（konkav）もさらに半球形状にも構成でき、この場合、上記シェル半部は、垂直に重ね合せて配置される。
【０００９】
下部シェル半部の凹に湾曲したないしは半球形状の構成にもとづき、分離された液体は、有利な態様で、容器の最低点に集まる（捕集される）。
【００１０】
双方のシェル半部は、合成樹脂または金属から構成でき、この場合、金属から作製されたシェル半部は、もちろん、より大きい圧力に耐えることができる。
【００１１】
本発明の有利な実施形態において、上部シェル半部は、上部シェル半部を貫通し且つ上部シェル半部外にあるパイプ接続部（ないし接続端）を入口側に備えた分離パイプを備える。
【００１２】
分離パイプの端部を冷媒捕集装置の内部で側方へ折曲げれば、有利なことには、管状流れの形で（ビーム状に）流入する媒体を冷媒捕集装置の内壁に沿って導き（案内し）、かくして、そこ（その内壁に沿った流れ）において液成分を分離できる。かくして、更に、分離された液体が液溜めにおいて流入するビーム状流れによって発泡されるのが避けられる。
【００１３】
更に、上部シェル半部の出口側に、下部シェル半部の最低範囲を通り再び上部シェル半部にもどる混合パイプのためのパイプ接続部（ないし接続端）を設ければ、もはや、流入する媒体が混合パイプ（Mischrohr）内に流入することはない。
【００１４】
混合パイプが、下部シェル半部の最低範囲に、下部シェル半部の壁部に向く少なくとも１つのパイプボア（管壁の孔）を有していれば、かくして、分離された冷媒をほぼ完全に吸引排出できる。
【００１５】
さらに有利な実施形態において、混合パイプは、液溜めの最高予想液面の上方に、少なくとも１つのボア（管壁の孔）を有する。かくして、出口において液状媒体およびガス状媒体の混合比が調節されるという、捕集装置について知られている機能が保証される。
【００１６】
本発明のさらなる有利な実施形態にもとづき、少なくとも１つの前記パイプボア（最低範囲）および少なくとも１つの前記ボア（液面上方）の各径は、液溜めから引出される液量と貫流するガス量との比が混合パイプを流れる流量にほぼ無関係（依存しないで独立）となるよう、設定される。
【００１７】
【実施例】
本発明の更なる特徴および利点は、実施例の以下の説明および参照した図面から明らかとされる。
【００１８】
図面から明らかな如く、冷媒捕集装置１は、２つの凹に湾曲してないし半球形状に構成されたシェル半部５，６、即ち、唯一つの溶接シーム７のみを介して相互に結合された上部シェル半部５および下部シェル半部６からなる。
【００１９】
この場合、下部シェル半部の凹状湾曲構成にもとづき、凝結（分離）した液体は、有利な態様で、冷媒捕集装置１の最低点に捕集される。
【００２０】
分離パイプ３の一端は、上部シェル半部５の壁部を貫通し、入口側８ａにおいてパイプ接続部２ａに結合（接続）されている。
【００２１】
混合パイプ４の一端は、上部シェル半部５の壁部を貫通し、出口側８ｂにおいてパイプ接続部２ｂに結合（接続）されている。
【００２２】
上記混合パイプ４は、パイプ接続部２ｂから下方へ下部シェル半部６の最低範囲ないし最低点まで導かれ（延在し）、次いで、再び、上部シェル半部５にもどるよう導かれる。
【００２３】
混合パイプ４の下部曲がり（湾曲）範囲には、有利な態様で、１つまたは複数のパイプボア９が（管壁に）設けてある。この場合、混合パイプ４の曲がり部分の最低点のボア開口部は、下部シェル半部６の底面の最低点から僅かの距離（上方）に設けることができる。かくして、凝結（分離）された冷媒をほぼ完全に吸引排出できる。
【００２４】
更に、混合パイプ４は、液溜めの最高予想（許容）液面の上方に、少なくとも１つのボア（管壁の孔）１０を有する。
【００２５】
パイプボア９およびボア１０によって、出口８ｂにおいて液状媒体およびガス状媒体の混合比が調節されるという冷媒捕集装置について知られている機能が保証される。
【００２６】
更に、冷媒捕集装置１の内部にあるパイプ片（分離パイプ）３の端部は、有利な態様で、側方へ折曲げてある。かくして、流入する媒体１１は、混合パイプ４内に流入することはなく、管状流れとして（ビーム状に）流入する媒体１１は、冷媒捕集装置１の内壁に沿って流れるよう案内され、かくして、液成分は、凝結分離され、分離された液体が液溜め１２において流入する流れによって発泡されるのが避けられる。
【００２７】
この場合、パイプボア（低部管壁孔）９および混合パイプ４のボア（液面上管壁孔）１０の各径は、液溜めから引出される液量と貫流するガス量との比が混合パイプ４を通って流れる流量とほぼ無関係に調節されるよう、設計できる。
【図面の簡単な説明】
【図１】  冷媒捕集装置の垂直方向横断面図である。
【図２】  図１の冷媒捕集装置の水平方向横断面図である。
【図１】
0004459456.tif 000002
【図２】
0004459456.tif 000003